(57)【要約】【課題】簡単に節電することができる衛生洗浄装置を提供するものである。【解決手段】便器の上方に設置される衛生洗浄装置であって、前記衛生洗浄装置は、使用者が前記便器を小便で使用したか、または使用者が前記便器を大便で使用したかを判断する制御部を備え、前記制御部が、前記便器を小便で使用したと判断した場合は、前記制御部は、前記衛生洗浄装置への通電を、第一の所定時間、低減もしくは停止し、前記便器を大便で使用したと判断した場合は、前記制御部は、前記衛生洗浄装置への通電を、第二の所定時間、低減もしくは停止する衛生洗浄装置。【選択図】  図１０
2018178413.tif 000002
【特許請求の範囲】
【請求項１】
便器の上方に設置される衛生洗浄装置であって、
前記衛生洗浄装置は、使用者が前記便器を小便で使用したか、または使用者が前記便器を大便で使用したかを判断する制御部を備え、
前記制御部が、前記便器を小便で使用したと判断した場合は、前記制御部は、前記衛生洗浄装置への通電を、第一の所定時間、低減もしくは停止し、
前記便器を大便で使用したと判断した場合は、前記制御部は、前記衛生洗浄装置への通電を、第二の所定時間、低減もしくは停止する衛生洗浄装置。
【請求項２】
前記衛生洗浄装置への通電は、
前記衛生洗浄装置が給水源から供給される洗浄水を加熱する洗浄水ヒーター、前記洗浄水によって濡れた箇所乾かすための乾燥ヒーター、前記衛生洗浄装置が有する便座を加熱する便座ヒーター、のいずれか一つへの通電を停止もしくは低減することを特徴とする請求項１記載の衛生洗浄装置。
【請求項３】
前記衛生洗浄装置は、
前記衛生洗浄装置の電源が停止し、その後、前記衛生洗浄装置の電源が再投入された場合は、
前記制御部は、前記衛生洗浄装置への通電を、第三の所定時間、低減もしくは停止する請求項１または２記載の衛生洗浄装置。
【請求項４】
前記制御部が、前記衛生洗浄装置への通電を、第一の所定時間、低減もしくは停止しているときに、前記制御部が前記便器を小便で使用したと判断した場合は、前記制御部は、前記衛生洗浄装置への通電を、第一の所定時間よりも短い第四の所定時間、低減もしくは停止し、
前記制御部が、前記衛生洗浄装置への通電を、第二の所定時間、低減もしくは停止しているときに、前記制御部が前記便器を大便で使用したと判断した場合は、前記制御部は、前記衛生洗浄装置への通電を、第二の所定時間よりも短い第五の所定時間、低減もしくは停止する請求項１〜３のいずれか１項記載の衛生洗浄装置。
【発明の詳細な説明】
【技術分野】
【０００１】
本発明は、衛生洗浄装置に関する。
【背景技術】
【０００２】
例えば、特許文献１の衛生洗浄装置は、設定温度に加熱した洗浄水を吐出する洗浄水吐出ユニットと、設定温度に便座を加熱する便座加熱ユニットと、設定温度の乾燥風を送出する乾燥風送出ユニットを備え、各ユニットを制御するための制御ユニットと、同制御ユニットを操作するための操作ユニットを備える。
【０００３】
この衛生洗浄装置は、操作ユニットにより各ユニットの設定温度を設定することができる。同操作ユニットにより設定した設定温度の洗浄水を洗浄水吐出ユニットから吐出する。同操作ユニットによって設定した設定温度に便座加熱ユニットで便座を加熱する。同操作ユニットによって設定した設定温度の温風を温風送出ユニットで送出する。
【０００４】
この衛生洗浄装置は、使用者にいつでも快適に使用してもらうように使用されていないときから各ユニットに通電を行っている。操作ユニットに設けた節電ボタンによって操作されると、制御ユニットで過去の使用状況を記憶し、使用頻度の低い時間帯を学習し、使用頻度の低い時間帯では、洗浄水吐出ユニットや便座加熱ユニットや温風送出ユニットの通電を停止もしくは低減させることで節電を行っている。さらに、この衛生洗浄装置は途中で停電、清掃、長期不在などの理由で一時的に電源の供給が中断された場合でも、中断後に引き続き使用状況を記憶し続けて、電源の供給が中断された時間を考慮することなく使用頻度に応じた節電を行っている。
【０００５】
この衛生洗浄装置の制御ユニットは、使用有無検出手段で使用の有無を検出する所定時間をさらに細分化し、細分化された時間内での使用の有無を使用生む検出手段で検出し、使用有無検出手段によって得られた検出結果を使用有無記憶手段で記憶している。電源が中断された場合には、中断前までに細分化された時間内での使用の有無を記憶した記憶データに続けて中断以降の細分化された時間内での使用の有無を記憶データとして継続して記憶している。
【先行技術文献】
【特許文献】
【０００６】
【特許文献１】特開２００２−２９４８１３号公報
【発明の概要】
【発明が解決しようとする課題】
【０００７】
しかし、先行文献１に開示の衛生洗浄装置は、使用有無を記憶するために学習期間を設けており、学習に多くの時間を要し、なおかつ学習期間は節電ができない問題がある。
【０００８】
衛生洗浄装置が使用有無を記憶、つまり学習するために、同衛生洗浄装置の制御ユニットがタイマーで所定時間を計測し、所定時間内に使用されたか否かを使用有無検出手段で検出し、その結果を使用有無記憶手段で記憶し、あらかじめ設定した設定頻度よりも使用頻度が低い時間帯を使用有無記憶手段での記憶データに基づいて決定している。記憶データは１日を４５分ごとに３２個の時間帯に区分し、８日間にわたって各時間帯の使用有無検出手段で使用有無を検出し、その結果を使用有無記憶手段で記憶し、使用頻度が低い時間帯を使用有無記憶手段での記憶データに基づいて決定している。
【０００９】
この衛生洗浄装置は、記憶したデータに基づいて使用頻度の低い時間帯では洗浄水吐水ユニット、便座加熱ユニットや温風送出ユニットへの通電を停止もしくは低減するため、節電が開始するまでに多くの時間を要し、学習している間節電はできない。そのため、衛生洗浄装置の節電においてまだ改善の余地がある。
【００１０】
そこで本発明は、上述した課題を解決するために、簡単に節電することができる衛生洗浄装置を提供するものである。
【課題を解決するための手段】
【００１１】
本発明の第１態様に係る衛生洗浄装置は、便器の上方に設置される衛生洗浄装置であって、前記衛生洗浄装置は、使用者が前記便器を小便で使用したか、または使用者が前記便器を大便で使用したかを判断する制御部を備え、前記制御部が、前記便器を小便で使用したと判断した場合は、前記制御部は、前記衛生洗浄装置への通電を、第一の所定時間、低減もしくは停止し、前記便器を大便で使用したと判断した場合は、前記制御部は、前記衛生洗浄装置への通電を、第二の所定時間、低減もしくは停止する衛生洗浄装置である。
【００１２】
この構成によれば、使用者が小便で利用したのか、大便で利用したのかを衛生洗浄装置の制御部が判断し、小便・大便の使用に応じて、節電時間を自動的に決定することで、使用頻度の学習結果を用いた節電制御のように節電開始までに多くの時間を要する必要がない節電制御を行うことができる。よって、簡単に節電することができる衛生洗浄装置を提供することができる。
【００１３】
本発明の第２態様の衛生洗浄装置は、第１態様において、前記衛生洗浄装置への通電は、前記衛生洗浄装置が給水源から供給される洗浄水を加熱する洗浄水ヒーター、前記洗浄水によって濡れた箇所乾かすための乾燥ヒーター、前記衛生洗浄装置が有する便座を加熱する便座ヒーター、のいずれか一つへの通電を停止もしくは低減することを特徴とする衛生洗浄装置である。
【００１４】
この構成によれば、衛生洗浄装置において、電力量が多く掛かる洗浄水ヒーター、乾燥ヒーター、便座ヒーターのいずれか一つへの通電を停止もしくは低減できるので、簡単に節電することができる衛生洗浄装置を提供することができる。
【００１５】
本発明の第３態様の衛生洗浄装置は、前記衛生洗浄装置は、前記衛生洗浄装置の電源が停止し、その後、前記衛生洗浄装置の電源が再投入された場合は、前記制御部は、前記衛生洗浄装置への通電を、第三の所定時間、低減もしくは停止する衛生洗浄装置である。
【００１６】
この構成によれば、衛生洗浄装置の電源が停止し、その後、衛生洗浄装置の電源が再投入された場合は、制御部は、衛生洗浄装置への通電を、第三の所定時間、低減もしくは停止するので、さまざまなシーンで簡単に節電することができる衛生洗浄装置を提供することができる。
【００１７】
本発明の第４態様の衛生洗浄装置は、前記制御部が、前記衛生洗浄装置への通電を、第一の所定時間、低減もしくは停止しているときに、前記制御部が前記便器を小便で使用したと判断した場合は、前記制御部は、前記衛生洗浄装置への通電を、第一の所定時間よりも短い第四の所定時間、低減もしくは停止し、前記制御部が、前記衛生洗浄装置への通電を、第二の所定時間、低減もしくは停止しているときに、前記制御部が前記便器を大便で使用したと判断した場合は、前記制御部は、前記衛生洗浄装置への通電を、第二の所定時間よりも短い第五の所定時間、低減もしくは停止する衛生洗浄装置である。
【００１８】
この構成によれば、使用頻度応じて節電時間を可変できるので、使用勝手を落とさずに、簡単に節電することができる衛生洗浄装置を提供することができる。
【発明の効果】
【００１９】
本発明は、簡単に節電することができる衛生洗浄装置を提供できる。
【図面の簡単な説明】
【００２０】
【図１】本発明にかかる衛生洗浄装置の使用状態を示す斜視図。
【図２】本発明にかかる衛生洗浄装置を示す平面図。
【図３】本発明にかかる衛生洗浄装置を示す正面図。
【図４】本発明にかかる衛生洗浄装置を示す左側面図。
【図５】衛生洗浄装置の内部構造を示す模式図。
【図６】衛生洗浄装置の内部構造を示す分解斜視図。
【図７】各ユニットを示す模式図。
【図８】操作ユニットを示す分解斜視図。
【図９】操作ユニットを示す分解正面図。
【図１０】節電制御フロー図。
【発明を実施するための形態】
【００２１】
以下、添付図面を参照しながら本発明の実施の形態について説明する。なお、理解を容易にするため、各図面において同一の構成要素に対しては可能な限り同一の符合を付し、重複する説明は省略する。
【００２２】
本発明にかかる衛生洗浄装置１は、図１に示すように、便器２の上部に搭載されて使用されるものであり、図１〜図４に示すように、便器２の後ろ側上部に左右に伸延する横長略矩形箱型状の本体ケーシング３を取り付け、同本体ケーシング３の前側部にＯ型形状の便座４と同便座４の上部を覆う便座カバー５とを上下に開閉可能にそれぞれ取り付けるとともに、本体ケーシング３の左側端部に前後に伸延する縦長略矩形箱型状の操作部ケーシング６を連設している。図中、７は洗浄タンクである。
【００２３】
かかる洗浄装置１は図５に示すように、衛生洗浄装置が給水源から供給される洗浄水を加熱する洗浄水ヒーターを有する洗浄水吐出ユニット８と、衛生洗浄装置が有する便座を加熱する便座ヒーターを有する便座加熱ユニット９と、洗浄水によって濡れた箇所を乾かすための乾燥ヒーターを有する乾燥風送出ユニット１０を有しており、これらの各ユニット８、９、１０を制御するための制御ユニット１１と、制御ユニット１１を操作するための操作ユニット１２を有している。
【００２４】
使用者が操作ユニット１２を操作することによって各ユニット(洗浄水吐出ユニット８、便座加熱ユニット９、乾燥風送出ユニット１０)の設定温度を調節することができ、操作ユニット１２によって設定した設定温度の洗浄水吐出ユニット８から吐出したり、操作ユニット１２によって設定した設定温度に便座加熱ユニット９で便座４を加熱したり、操作ユニット１２によって設定した設定温度の乾燥風を乾燥風送出ユニット１０で送出するように制御ユニット１１によって書くユニット８、９、１０を制御するように構成している。
【００２５】
各ユニット（洗浄水吐出ユニット８、便座加熱ユニット９、乾燥風送出ユニット１０、制御ユニット１１、操作ユニット１２）の構成について以下に説明する。
【００２６】
洗浄水吐出ユニット８は、図５及び図６に示すように、本体ケーシング３の左側底部にバルブ１３を備え、本体ケーシング３の右側部に熱交換機１４を備え、本体ケーシング３の中央部に洗浄水吐出ノズル１５を備え、給水管１６にバルブ１３を連結し、バルブ１３と熱交換器（洗浄水ヒータ）１４を、連通管１７を介して連結し、熱交換器１４と洗浄水吐出ノズル１５を、連通管１８を介して連結している。
【００２７】
洗浄水吐出ユニット８は、給水管１６から供給される洗浄水をバルブ１３にて一定水圧に減圧するとともに熱交換器１４にて設定温度に加熱し、洗浄水吐出ノズル１５の先端部からと出するようにしている。バルブ１３は、内部で洗浄水を分岐させることができ、分岐させた洗浄水を連通管７１から進退移動する洗浄水吐出ノズル１５の胴体部に向けてと出することによって、洗浄水吐出ノズル１５の胴体部を洗浄できるようにしている。  
【００２８】
便座加熱ユニット９は、図５に示すように、便座４の内部に便座ヒーター１９を収容しており、便座ヒーター１９に通電する電流値または印加する電圧値を調節することで使用者が設定した温度に便座４を加熱するようにしている。
【００２９】
乾燥風送出ユニット１０は、図５および図６に示すように、本体ケーシング３の左側部にヒーター内蔵の送風機２０（乾燥ヒータ）を備え、前期送風機２０の送出口２１を本体ケーシング３の中央底部に備え、送風機２０にて使用者が設定した温度に加熱した空気を送出口２１から送出するようにしている。送風機２０の上部には、脱臭機７３を備えており、脱臭機７３で空気を脱臭することによって悪臭の発生を防止している。
【００３０】
制御ユニット１１は、図５〜７に示すように、本体ケーシング３の左側後部に制御回路を実装した制御基板２２を備え、制御基板２２に各ユニット（洗浄水吐出ユニット８、便座加熱ユニット９、乾燥風送出ユニット１０、操作ユニット１２）とケーブル２３、２４．２５．２６を介して接続している。
【００３１】
制御ユニット１１は、制御基板２２にコントローラー３８（ＣＰＵ）を備え、コントローラー３８に赤外線センサ等の着座センサからなる使用有無検出手段３９とＲＡＭやＥＥＰＲＯＭ等のメモリからなる使用有無記憶手段４０とタイマー４１を接続している。かかる使用有無検出手段３９は、所定時間内において衛生洗浄装置１が１度でも使用されたか否かといった使用の有無を検出するものであり、使用有無記憶手段４０は、使用有無検出手段３９によって得られた検出結果を記憶するものである。
【００３２】
主操作部２７は、図７に示すように、操作部ケーシング６の上面前側部に複数の貫通孔３１があり、操作部ケーシング６の上面前側部にシート状の操作パネル３２を取り付ける。操作部ケーシング６の下部に平板状の樹脂素材からなるインシュレータ３３を取り付け、インシュレータ３３の下部に複数の操作スイッチ３４を備えた回路基板３５を取り付けている。図中の３６は固定用ビスである。
【００３３】
操作パネル３２には、複数の操作ボタン３７がエンボス加工により突出形成され、各操作ボタン３７の表面や上部にその操作ボタン３７による動作を説明する文字や図形を印刷している。
【００３４】
回路基板３５の上部には、図７に示すように、絶縁性を有する素材、例えばシリコン等をシート状に形成した上側カバー４２を備えている。回路基板３５の下部には図７に示すように、絶縁性を有する素材、例えば樹脂等のフィルムをシート状に成形した下側カバー４６を備えている。
【００３５】
実施例では、操作部ケーシング６の前側部に備えた主操作部２７の構造について説明したが、操作部ケーシング６の後側部に備えた副操作部２８も主操作部２７と同様の構造としている。
【００３６】
副操作部２８は、図７〜図９に示すように、操作部ケーシング６の上面後側部に開閉ふた５３を開閉自在に取り付け、開閉ふた５３の下方の操作部ケーシング６に複数の貫通孔を備え、操作ケーシング６の上面後側部にシート状の操作パネル５４を取り付け、操作部ケーシング６の下部に平板状の樹脂素材からなるインシュレータを取り付け、インシュレータの下部に複数の操作スイッチ（図示省略）を備えた回路基板（図示省略）を取り付けている。
【００３７】
副操作部２８に設けた操作パネル５４は、図９に示すように、前側部に、洗浄水吐出ユニット８や便座加熱ユニット９や乾燥風送出ユニット１０の設定温度を設定する際に温度を設定すべきユニットを選択するための選択ボタン５５、５６、５７を各ユニット（洗浄水吐出ユニット８、便座加熱ユニット９、乾燥風送出ユニット１０）ごとに設けており、これらの選択ボタン５５、５６、５７や節電ボタン５８はエンボス加工により突出形成され、各ボタン５５、５６、５７、５８の表面や上部にその操作ボタン３７による動作を説明する文字を印刷している。
【００３８】
操作パネル５４は、前側部の選択ボタン５５、５６、５７の左側部に、各ユニット（洗浄水吐出ユニット８、便座加熱ユニット９、乾燥風送出ユニット１０）の設定温度を表示するために１個の表示部６０を備え、かかる表示部６０に選択ボタン５５、５６、５７で選択されたユニットの設定温度を表示するようにしている。かかる表示部６０は、設定温度を高低で示すための５個のＬＥＤ等のランプ６１、６２、６３、６４、６５を１列に配置している。
【００３９】
選択ボタン５５、５６、５７を押圧操作することによって、各ユニット（洗浄水吐出ユニット８、便座加熱ユニット９、乾燥風送出ユニット１０）を所望の設定温度で作動させるようにしている。
【００４０】
構成の衛生洗浄装置１はいつでも使用者が快適に使用することができるように、使用されていないときから各ユニット（洗浄水吐出ユニット８、便座加熱ユニット９、乾燥風送出ユニット１０）に通電しておき、使用時に直ちに操作ユニット１２によって設定した設定温度の洗浄水を洗浄水吐出ユニット８から吐出したり、操作ユニット１２によって設定した設定温度に便座加熱ユニット９で便座４を加熱したり、操作ユニット１２によって設定した設定温度の乾燥風を乾燥風送出ユニット１０で送出できるように制御ユニット１１によって各ユニット８、９、１０を制御している。このように、本実施例にかかる衛生洗浄装置１は、使用時に備えて不使用時にも通電を行う作動部として洗浄水吐出ユニット８と便座加熱ユニット９と乾燥風送出ユニット１０を備えており、作動部を制御するための制御ユニット１１を備えている。
【００４１】
本実施例にかかる衛生洗浄装置１では、操作ユニット１２に設けた節電ボタン５８が操作された場合には、制御ユニット１１が、使用者の使用状況を記憶し、その記憶結果に基づいて、不使用時には、各ユニット（洗浄水吐出ユニット８と便座加熱ユニット９と乾燥風送出ユニット１０）への通電を停止もしくは低減し、衛生洗浄装置全体の消費電力を低減させることによって節電を行うように制御する。
【００４２】
制御ユニット１１は、着座情報や、便座２の開閉状態を検知する等、使用有無検出３９の情報から、使用者の使用状況を、使用有無記憶手段４０へ記憶する。制御ユニット１１は、使用有無記憶手段４０へ記憶された使用者の使用状況から、大便か小便を推定する。
【００４３】
制御ユニット１１は、図１０に示すように、衛生洗浄装置が備える便器２を使用者が小便で使用したと判断した場合は、制御ユニット１１は、各ユニット（洗浄水吐出ユニット８と便座加熱ユニット９と乾燥風送出ユニット１０）の通電を、制御ユニット１１が備えるタイマー４１によって計測した第一の所定時間(本実施例では６０分間)、低減もしくは停止する。制御ユニット１１は、衛生洗浄装置が備える便器２を使用者が大便で使用したと判断した場合は、制御ユニット１１は各ユニット（洗浄水吐出ユニット８と便座加熱ユニット９と乾燥風送出ユニット１０）の通電を、制御ユニット１１が備えるタイマー４１によって計測した第二の所定時間(本実施例では１８０分間)、低減もしくは停止する。
【００４４】
制御ユニット１１は、図１０に示すように、タイマー４１によって計測した第一の所定時間（本実施例では６０分間）よりも短い時間（本実施例では３０分間）で使用者が小便をしたと判断した場合は、次回の節電時間を第一の所定時間よりも短い時間（本実施例では３０分間）、各ユニット（洗浄水吐出ユニット８と便座加熱ユニット９と乾燥風送出ユニット１０）の通電を低減もしくは停止し、前記タイマー４１によって計測した第二の所定時間（本実施例では１８０分間）よりも短い時間（本実施例では１２０分間）で使用者が大便をしたと判断した場合は、次回の節電時間を前記で定めた第二の所定時間よりも短い時間（本実施例では１２０分間）、各ユニット（洗浄水吐出ユニット８と便座加熱ユニット９と乾燥風送出ユニット１０）の通電を低減もしくは停止する。
【００４５】
図１０に示すように、衛生洗浄装置の電源が停止し、衛生洗浄装置の電源が再投入された場合、制御ユニット１１は、使用有無記憶手段４０へ記憶された使用者の使用状況が、大便、小便にかかわらず、衛生洗浄装置の電源投入直後は、衛生洗浄装置が備える節電ボタン５８の節電機能を入にしていれば、タイマー４１によって計測した第三の所定時間、各ユニット（洗浄水吐出ユニット８と便座加熱ユニット９と乾燥風送出ユニット１０）の通電を低減もしくは停止する。
【００４６】
図１０に示すように、衛生洗浄装置が、各ユニット（洗浄水吐出ユニット８と便座加熱ユニット９と乾燥風送出ユニット１０）への通電が連続して、タイマー４１によって計測した第五の所定時間（実施例では）を超えた場合は、通電期間中に、使用有無検出手段３９で使用の有無を検出し、検出結果を使用有無記憶手段４０に記憶し、使用無記憶手段４０で記憶した使用状況に基づいて、使用頻度の低い時間帯を学習し、使用頻度が低い時間は、各ユニット（洗浄水吐出ユニット８と便座加熱ユニット９と乾燥風送出ユニット１０）の通電を低減もしくは停止する。
【符号の説明】
【００４７】
１      衛生洗浄装置
２      便器
３      本体ケーシング
４      便座
５      便座カバー
６      操作部ケーシング
８      洗浄水吐出ユニット
９      便座加熱ユニット
１０    乾燥風送出ユニット
１１    制御ユニット
１２    操作ユニット
１３    バルブ
１４    熱交換器
１５    洗浄水吐出ノズル
１６    給水管
１９    ヒーター
２２    制御基板
２７    主操作部
２８    副操作部
３２    操作パネル
３９    使用有無検出手段
４０    使用有無記憶手段
４１    タイマー
５８    節電ボタン
【図１】
2018178413.tif 000003
【図２】
2018178413.tif 000004
【図３】
2018178413.tif 000005
【図４】
2018178413.tif 000006
【図５】
2018178413.tif 000007
【図６】
2018178413.tif 000008
【図７】
2018178413.tif 000009
【図８】
2018178413.tif 000010
【図９】
2018178413.tif 000011
【図１０】
2018178413.tif 000012